(57)【要約】      （修正有）【課題】指の痛みを抑制しつつ、保持状態の安定性を確保することができる二胡用弓を提供する。【解決手段】弓杵部４１と、弓杵部４１の両端間に設けられた弓毛部４３と、を備え、弓杵部４１と弓毛部４３との対向方向に沿う指支持面部４６ｂを備える指当接部４６が弓杵部４１の基端把持部４１ａに設けられている。【選択図】図２
0003218703.tif 000002
【実用新案登録請求の範囲】
【請求項１】
弓杵部と、
前記弓杵部の両端間に張設把持された弓毛部と、
を備え、
前記弓杵部と前記弓毛部との対向方向に沿う指支持面部を備える指当接部が前記弓杵部の基端把持部に設けられている、
ことを特徴とする二胡用弓。
【請求項２】
前記指当接部は、前記弓杵部の軸回りに対して回転不能に前記弓杵部に固定されている、
ことを特徴とする請求項１に記載の二胡用弓。
【請求項３】
前記指当接部は、横断面略コの字形状であって前記弓杵部の基端把持部に係合固定されている、
ことを特徴とする請求項１又は請求項２に記載の二胡用弓。
【請求項４】
前記指支持面部は、演奏者が前記弓杵部を保持するように、一面側に親指支持面部、他面側に人差指支持面部を有する、
ことを特徴とする請求項１から請求項３のいずれか１の請求項に記載の二胡用弓。
【請求項５】
前記指支持面部は、前記弓杵部と前記弓毛部との対向方向に沿って、前記弓杵部の径方向両側に突出されている、
ことを特徴とする請求項１から請求項４のいずれか１の請求項に記載の二胡用弓。
【考案の詳細な説明】
【技術分野】
【０００１】
本考案は、二胡を演奏する際に用いる二胡用弓に関する。
【背景技術】
【０００２】
従来から、胡琴類の楽器として中国の琴弦楽器である二胡が知られている、この二胡は、二本の琴弦を、主として馬の尾の毛を張った二胡用弓でこする（「擦弦」とも称される）ことで演奏する楽器である。
【０００３】
二胡用弓は、図３（Ａ）に示すように、竹製で断面円形状の弓杵部５１と、弓杵部５１の基端把持部寄りに設けられた引掛部５２と、弓杵部５１の先端部と引掛部５２との間に張設された馬の尻尾の毛を束ねた弓毛部５３と、弓毛部５３の基端部側に設けられて引掛部５２に着脱可能となるように輪部５４ａ（図３（Ｂ）参照）を備えるビニール素材からなる巻体部５４とから構成され、弓杵部５１の基端に設けられて引掛部５２を進退動させることで弓毛部５３の張力が調整される調整部５５と、を備えている（例えば、特許文献１参照）。
【０００４】
このような二胡用弓を用いて二胡を演奏する場合、図３（Ｂ）に示すように、演奏者は右手ＲＨの力を抜いた状態で、手の平を左向きにしてボールを待つように自然に指を曲げ、人差し指の第２関節付近を弓杵部５１に沿わせ、親指と人差し指とで弓杵部５１を挟むように持つ。
【０００５】
さらに、中指と薬指とを弓杵部５１と弓毛部５３との間に入れ、中指及び薬指の指先を揃えてしっかり弓毛部５３を引き寄せるように押さえて持つことで親指と人差し指との付け根に空間を作るようにするのが望ましい。この部分が閉じていると、弓を握って絞るムダな力が働くので、関節の動きが妨げられてしまう。
【先行技術文献】
【特許文献】
【０００６】
【特許文献１】実用新案登録第３０２２４０１号公報
【考案の概要】
【考案が解決しようとする課題】
【０００７】
しかしながら、このような先行技術文献に開示の二胡用弓を含む従来の二胡用弓にあっては、特に親指と人差し指とで細い弓杵部５１を挟んだ状態で中指及び薬指の指先を揃えてしっかり弓毛部５３を引き寄せる必要があることから、親指と人差し指とに痛みが発生し易いうえ、安定して二胡用弓を持つことが困難であるという問題が生じていた。
【０００８】
本考案の課題は、上述のような課題を解決するために、指の痛みを抑制しつつ、保持状態の安定性を確保することができる二胡用弓を提供することにある。
【課題を解決するための手段】
【０００９】
請求項１に係る二胡用弓は、上記目的を達成のため、弓杵部と、前記弓杵部の両端間に張設把持された弓毛部と、を備え、前記弓杵部と前記弓毛部との対向方向に沿う指支持面部を備える指当接部が前記弓杵部の基端把持部に設けられている、ものである。
【００１０】
本考案に係る二胡用弓は、親指と人差し指とで弓杵部を挟む部位付近である弓杵部の基端把持部を跨るように指当接部が設けられているとともに、その指当接部の両面に弓杵部と弓毛部との対向方向に沿う指支持面部を備えている。
【００１１】
これにより、親指と人差し指とで弓杵部を挟む際に細い弓杵部よりも面積が広くかつ平面な指支持面部を親指と人差し指とで挟むことができるため、指の痛みを抑制しつつ、保持状態の安定性を確保することができる。
【００１２】
請求項２記載の考案は、前記指当接部は、前記弓杵部の軸回りに対して回転不能に前記弓杵部に固定されている、ものである。
【００１３】
したがって、二胡用弓を動かして演奏している際に、指当接部が弓杵部の軸回りに対して回転してしまうことを抑制することができる。
【００１４】
請求項３記載の考案は、前記指当接部は、横断面略コの字形状であって前記弓杵部の基端把持部に係合固定されている、ものである。
【００１５】
したがって、弓杵部の基端把持部に指当接部を容易に装着・固定することができる。
【００１６】
請求項４記載の考案は、前記指支持面部は、演奏者が前記弓杵部を保持するように、一面側に親指支持面部、他面側に人差指支持面部を有する、ものである。
【００１７】
したがって、二胡用弓を動かして演奏している際に、演奏者は、親指と人差し指とでしっかりと弓杵部を把持して擦弦操作を行うことができる。
【００１８】
請求項５記載の考案は、前記指当接部の指支持面部は、前記弓杵部と前記弓毛部との対向方向に沿って、前記弓杵部の径方向両側に突出されている、ものである。
【００１９】
したがって、親指及び人差し指における指支持面部に対する接触面積を広く確保することができる。
【考案の効果】
【００２０】
本考案によれば、親指と人差し指とで弓杵部を挟む部位付近である弓杵部の基端把持部に指当接部が設けられているとともに、その指当接部が弓杵部と弓毛部との対向方向に沿う指支持面部を備えていることにより、親指と人差し指とで弓杵部を挟む際に細い弓杵部よりも面積が広くかつ平面な指支持面部を親指と人差し指とで挟むことができるため、指の痛みを抑制しつつ、保持状態の安定性を確保することができる。
【００２１】
請求項２記載の考案にあっては、前記指当接部は、前記弓杵部の軸回りに対して回転不能に前記弓杵部に固定されている、ことにより、二胡用弓を動かして演奏している際に、指当接部が弓杵部の軸回りに対して回転してしまうことを抑制することができる。
【００２２】
請求項３記載の考案にあっては、、前記指当接部は、横断面略コの字形状であって前記弓杵部の基端把持部に係合固定されている、ことにより、弓杵部の基端把持部に指当接部を容易に装着・固定することができる。
【００２３】
請求項４記載の考案にあっては、前記指支持面部は、演奏者が前記弓杵部を保持するように、一面側に親指支持面部、他面側に人差指支持面部を有する、ことにより、二胡用弓を動かして演奏している際に、演奏者は、親指と人差し指とでしっかりと弓杵部を把持して擦弦操作を行うことができる。
【００２４】
請求項５記載の考案にあっては、前記指当接部の指支持面部は、前記弓杵部の径方向両側に突出されている、ことにより、親指及び人差し指における指支持面部に対する接触面積を広く確保することができる。
【図面の簡単な説明】
【００２５】
【図１】本考案に係る二胡用弓の一実施の形態における二胡の使用例（演奏例）を示す説明図である。
【図２】本考案に係る二胡用弓の一実施の形態を示し、（Ａ）は二胡用弓の正面図、（Ｂ）は二胡用弓の要部の拡大正面図、（Ｃ）は図２（Ｂ）のＣ−Ｃ線に沿う拡大断面図、（Ｄ）は二胡用弓を手に持った状態の説明図、である。
【図３】従来の二胡用弓を示し、（Ａ）は二胡用弓の正面図、（Ｂ）は二胡用弓を手に持った状態の説明図、である。
【考案を実施するための形態】
【００２６】
以下、添付図面に示す実施の形態に基づき、本考案を詳細に説明する。
【００２７】
図１に示すように、二胡１は、筒状の共鳴胴部２と、共鳴胴部２に一端側が固定された琴棹部３と、を備え、演奏時には二胡用弓部４を用いて音を奏でるものである。
【００２８】
共鳴胴部２は、胴敷２１の上面に固定された筒状の共鳴胴２２と、共鳴胴２２の一方の端面を構成する正面視多角形状の被覆面部２３と、被覆面部２３の中心部に固定された琴駒２４と、被覆面部２３の下方寄りに設けられた控制綿２５と、を備える。
【００２９】
琴棹部３は、共鳴胴２２に一端側が固定された琴棹３１と、琴棹３１の他端側に上下で離間して設けられた糸巻部３２，３３から共鳴胴２２の被覆面部２３に向けて張られた２本の琴弦３４，３５と、琴棹３１の他端付近に設けられて琴棹３１の長さ方向中途部を支持する千斤３６と、を備える。
【００３０】
図２（Ａ）に示すように、共鳴胴２２の一方の端面の形状は、所定直径の仮想円を内接円として各角部をＲ状とした略正六角形状とされ、琴棹３１を垂直と仮定した場合にその対向する２辺を略水平としている。
【００３１】
共鳴胴２２の胴体部分は、中空の筒状とされるとともに、その中途部を必要に応じて一方の端面よりも縮径又は拡径としている。共鳴胴２２の他方の端面は閉塞している。したがって、共鳴胴２２は、例えば、職人の手作業によって、紫檀、黒檀、紅木等の比較的堅い木材を繰り抜き等によって加工される。
【００３２】
被覆面部２３は、例えば、ニシキヘビ等の蛇皮とされているが、他の動物の皮や人工の皮で構成してもよい。
【００３３】
琴駒２４は、琴弦３４，３５の振動波を被覆面部２３に伝動する部品である。琴駒２４の材質は、木や竹を用い、一般的には、楓材や松材が用いられている。
【００３４】
琴駒２４は、交換が可能であり、例えば、比較的新しい二胡１の場合には、硬くシャープな音色となるために楓や松系の軟木で底面の小さく低めのものを使用する。逆に、年月の経って被覆面部２３の張りが緩み、音色が重く濁ったような二胡１の場合には、硬木で底面の大きめの背の高い琴駒２４を使用する。
【００３５】
琴駒２４の形状や大きさ等は、二胡１の状態と奏者の感性によって適宜のものが使われる。一般的には正面視略真円形状であるが、楕円や長方形、或いは、門形でもよい。
【００３６】
控制綿２５は、副駒とも称され、琴駒２４よりも下方で被覆面部２３と琴弦３４，３５との間に挟まれる。控制綿２５は、ノイズを無くす役割を果たし、フェルトやスポンジ等を用いている。
【００３７】
琴棹３１は、他端側である上端が屈曲されており、一端側は共鳴胴２２の内部に配置された、例えば、胴敷２１に固定される。
【００３８】
二胡用弓部４は、図２（Ａ）に示すように、竹製の弓杵部４１と、弓杵部４１の基端把持部４１ａ寄りに設けられた魚型の引掛部４２と、弓杵部４１の先端部と引掛部４２との両端間に張設された馬の尻尾の毛を束ねた弓毛部４３と、弓毛部４３の基端部側に設けられて引掛部４２に着脱可能となるように輪部４４ａ（図２（Ｄ）参照）を備えるビニール素材からなる巻体部４４と、から構成され、弓杵部４１の基端に設けられて引掛部４２を進退動させることで弓毛部４３の張力が調整される調整部４５と、を備えている。
【００３９】
本実施の形態においては、二胡用弓部（二胡用弓）４には、図２（Ｂ）及び図２（Ｃ）に示すように、弓杵部４１の基端把持部４１ａを跨るように、両面に弓杵部４１と弓毛部４３との対向方向に沿う親指支持面部４６ｂと人差指支持面部４６ｃとを備える指当接部４６が着脱可能若しくは接着等によって固定されている。したがって、親指支持面部４６ｂと人差指支持面部４６ｃとは、指支持面部を構成している。
【００４０】
指当接部４６は、例えば、硬質樹脂等で成形されており、図１に示す演奏者Ｐの使用状態を基準とした場合に、図２（Ｃ）に示すように、演奏者Ｐの略上下方向で弓杵部４１の基端把持部４１ａを跨る厚さ部４６ａと、厚さ部４６ａの両端（両面）、すなわち、演奏者Ｐの上側に位置する親指支持面部４６ｂと、演奏者Ｐの下側に位置する人差指支持面部４６ｃと、を一体に備える。
【００４１】
本実施の形態においては、弓杵部４１の基端把持部４１ａの上下（図２（Ｃ）の紙面左右）に位置する一部が切り欠かれ挟持面部４１ｂが形成された断面略小判形状とされることにより、指当接部４６の親指支持面部４６ｂと人差指支持面部４６ｃとで挟持面部４１ｂを挟持する。
【００４２】
したがって、弓杵部４１挟持面部４１ｂは、弓杵部４１の長さ方向において指当接部４６の長さと一致された凹部形状とされることによって、弓杵部４１の長さ方向に対する指当接部４６の動きが規制されている。
【００４３】
これにより、指当接部４６の親指支持面部４６ｂと人差指支持面部４６ｃとは、例えば、接着剤等による接着、或いは、挟持面部４１ｂの各表面と親指支持面部４６ｂ及び人差指支持面部４６ｃの各内面とに雌雄が異なる係合部（図示せず）による係合、によって弓杵部４１の軸回りに対して回転不能に弓杵部４１に固定される。
【００４４】
また、指当接部４６の親指支持面部４６ｂと人差指支持面部４６ｃとは、弓杵部４１の径方向両側、すなわち、図２（Ｃ）において紙面の上下方向にそれぞれ突出され、演奏者Ｐが二胡用弓部４を所定の持ち方を基準として持ったときの親指並びに人差し指の接触面積を確保することができる。
【００４５】
このような二胡用弓を用いて二胡を演奏する場合、図２（Ｄ）に示すように、演奏者Ｐ（図１参照）は、右手ＲＨの力を抜いた状態で、手の平を左向きにしてボールを待つように自然に指を曲げ、親指を指支持面部４６ｂに当接させるとともに、人差し指の第２関節付近を弓杵部４１の曲がっている部分に対応した人差指支持面部４６ｃに位置を合わせ、親指と人差し指とで弓杵部４１の指当接部４６を挟むように持つ。
【００４６】
このように、親指と人差し指とで弓杵部４１を挟む際に細い弓杵部４１よりも面積が広くかつ平面な親指支持面部４６ｂと人差指支持面部４６ｃとに親指と人差し指とを接触させて指当接部４６を挟むことができるため、指の痛みを抑制しつつ、保持状態の安定性を確保することができる。
【００４７】
なお、指当接部４６の外見形状、装着位置、或いは、固定方法等は上記に限定されるものではない。また、指当接部４６は、例えば、弓杵部４１の形状や演奏者Ｐの好みに応じて、弓杵部４１の軸線方向に対して傾けるなど、は自由である。
【符号の説明】
【００４８】
１…二胡
２…共鳴胴
３…琴棹部
４…二胡用弓部
２１…胴敷
２２…共鳴胴
２３…被覆面部
２４…琴駒
２５…控制綿
３１…琴棹
３２…糸巻部
３３…糸巻部
３４…琴弦
３５…琴弦
３６…千斤
４１…弓杵部
４１ａ…基端把持部
４１ｂ…挟持面部
４２…引掛部
４３…弓毛部
４４…巻体部
４４ａ…輪部
４５…調整部
４６…指当接部
４６ａ…厚さ部
４６ｂ…親指支持面部（指支持面部）
４６ｃ…人差指支持面部（指支持面部）
５１…弓杵部
５２…引掛部
５３…弓毛部
５４…巻体部
５５…調整部
【図１】
0003218703.tif 000003
【図２】
0003218703.tif 000004
【図３】
0003218703.tif 000005